(57)【要約】【課題】デジタル放送の番組が表示中にＣＭ放送に切換わるとき、ＣＭを必要な情報としないユーザでもＣＭ中の時間を有効に使用できるデジタル放送受信装置を提供する。【解決手段】信号処理部３がトランスポートストリームから分離された映像データに基づくアナログ映像信号をテレビ９に出力中に、制御部４がＣＭ開始を検出すると、信号処理部３は、トランスポートストリームから分離され制御部４が取得したデータ放送データおよびトランスポートストリームから分離された映像データに基づくアナログ映像信号をテレビ９に出力する。【選択図】図１
2008288631.tif 000002
【特許請求の範囲】
【請求項１】
デジタル放送信号からトランスポートストリームを取出すトランスポートストリーム取出し手段と、
前記トランスポートストリームから分離された映像データに基づく映像信号を表示手段に出力する第一の映像信号出力手段と、
前記第一の映像信号出力手段が映像信号を出力中にＣＭ放送開始を検出するＣＭ開始検出手段と、
前記ＣＭ放送開始が検出されると、前記トランスポートストリームから分離されたデータ放送データに基づく映像信号を前記表示手段に出力する第二の映像信号出力手段と、
を備えることを特徴とするデジタル放送受信装置。
【請求項２】
前記ＣＭ開始検出手段は、ＣＭ開始前のミュート部分を検出することによりＣＭ放送開始を検出することを特徴とする請求項１に記載のデジタル放送受信装置。
【請求項３】
操作手段により設定された設定情報に応じて、前記ＣＭ開始検出手段および前記第二の映像信号出力手段が動作するか否かが切換えられることを特徴とする請求項１に記載のデジタル放送受信装置。
【請求項４】
前記第二の映像信号出力手段が映像信号を出力中、番組再開を検出する番組再開検出手段を備え、
前記番組再開が検出されると、前記第二の映像信号出力手段の動作が停止することを特徴とする請求項１に記載のデジタル放送受信装置。
【請求項５】
前記第二の映像信号出力手段が映像信号を出力中、番組再開を検出する番組再開検出手段と、
前記番組再開が検出されると、前記第二の映像信号出力手段の動作を停止させる否かを選択させるためのダイアログを前記表示手段に表示させるための映像信号を前記表示手段に出力する第三の映像信号出力手段と、を備え、
前記ダイアログにおいて操作手段により前記第二の映像信号出力手段の動作を停止させる旨が選択されると、前記第二の映像信号出力手段の動作が停止し、
前記ダイアログにおいて操作手段により前記第二の映像信号出力手段の動作を停止させない旨が選択されると、前記第二の映像信号出力手段の動作が停止しない、
ことを特徴とする請求項１に記載のデジタル放送受信装置。
【請求項６】
前記第二の映像信号出力手段が映像信号を出力中、操作手段において操作がされるたびに前記第二の映像信号出力手段は、前記トランスポートストリームから分離された前記操作に応じたデータ放送データに基づく映像信号を前記表示手段に出力し、その出力中に番組再開を検出する番組再開検出手段と、
前記番組再開が検出されると、現在の時刻が前記操作手段において最後に操作がされた時刻から所定時間以上経過しているか否かを判定する判定手段と、を備え、
前記判定手段が前記現在の時刻が前記時刻から前記所定時間以上経過していると判定すると、前記第二の映像信号出力手段が動作を停止し、前記判定手段が前記現在の時刻が前記時刻から前記所定時間以上経過していないと判定すると、前記第二の映像信号出力手段が動作を停止しない、ことを特徴とする請求項１に記載のデジタル放送受信装置。
【請求項７】
前記番組再開検出手段は、番組再開前のミュート部分を検出することにより番組再開を検出することを特徴とする請求項４〜請求項６のいずれかに記載のデジタル放送受信装置。
【請求項８】
前記所定時間は操作手段により設定変更可能であることを特徴とする請求項６に記載のデジタル放送受信装置。
【発明の詳細な説明】
【技術分野】
【０００１】
本発明は、デジタル放送受信装置に関するものである。
【背景技術】
【０００２】
従来より、デジタル放送受信に対応したハードディスクレコーダやＤＶＤレコーダが開発されており、このようなハードディスクレコーダやＤＶＤレコーダによってユーザはデジタル放送を視聴することができる。
【特許文献１】特開平１１−２２５２９６号公報
【発明の開示】
【発明が解決しようとする課題】
【０００３】
しかし、上記従来のハードディスクレコーダやＤＶＤレコーダによれば、デジタル放送の番組を視聴中にデジタル放送がＣＭ放送に切換わるとユーザはＣＭを視聴することになり、ＣＭを必要な情報としないユーザにとってはＣＭ中の時間が有効に使用できているとは言えなかった。
【０００４】
なお、特許文献１には、通常テレビ番組放送時はそのチャンネルの映像信号を、またＣＭ放送期間は文字放送信号をディスプレイ等に出力し、ユーザがＣＭ放送期間を有効に利用できるとした映像表示制御装置が開示されているが、デジタル放送に関するものではなかった。
【０００５】
上記問題点を鑑み、本発明は、デジタル放送の番組が表示中にＣＭ放送に切換わるとき、ＣＭを必要な情報としないユーザでもＣＭ中の時間を有効に使用できるデジタル放送受信装置を提供することを目的とする。
【課題を解決するための手段】
【０００６】
上記目的を達成するために本発明のデジタル放送受信装置は、デジタル放送信号からトランスポートストリームを取出すトランスポートストリーム取出し手段と、
前記トランスポートストリームから分離された映像データに基づく映像信号を表示手段に出力する第一の映像信号出力手段と、
前記第一の映像信号出力手段が映像信号を出力中にＣＭ放送開始を検出するＣＭ開始検出手段と、
前記ＣＭ放送開始が検出されると、前記トランスポートストリームから分離されたデータ放送データに基づく映像信号を前記表示手段に出力する第二の映像信号出力手段と、
を備える構成としている（第１の構成）。
【０００７】
このような構成によれば、デジタル放送の番組が表示中にＣＭ放送に切換わると自動的にデータ放送が表示されるので、ＣＭを必要な情報としないユーザでもＣＭ中の時間を有効に使用できる。
【０００８】
また、本発明のデジタル放送受信装置は、上記第１の構成において、前記ＣＭ開始検出手段は、ＣＭ開始前のミュート部分を検出することによりＣＭ放送開始を検出するような構成にしてもよい（第２の構成）。
【０００９】
また、本発明のデジタル放送受信装置は、上記第１の構成において、操作手段により設定された設定情報に応じて、前記ＣＭ開始検出手段および前記第二の映像信号出力手段が動作するか否かが切換えられるような構成にしてもよい（第３の構成）。
【００１０】
このような構成によれば、デジタル放送の番組が表示中にＣＭ放送に切換わるときにデータ放送を表示させるか、通常にＣＭを表示させるかをユーザが選択できる。
【００１１】
また、本発明のデジタル放送受信装置は、上記第１の構成において、前記第二の映像信号出力手段が映像信号を出力中、番組再開を検出する番組再開検出手段を備え、
前記番組再開が検出されると、前記第二の映像信号出力手段の動作が停止するような構成にしてもよい（第４の構成）。
【００１２】
このような構成によれば、番組再開時に自動的に番組表示に切換わるのでユーザによる切換え操作も不要であり便利である。
【００１３】
また、本発明のデジタル放送受信装置は、上記第１の構成において、前記第二の映像信号出力手段が映像信号を出力中、番組再開を検出する番組再開検出手段と、
前記番組再開が検出されると、前記第二の映像信号出力手段の動作を停止させる否かを選択させるためのダイアログを前記表示手段に表示させるための映像信号を前記表示手段に出力する第三の映像信号出力手段と、を備え、
前記ダイアログにおいて操作手段により前記第二の映像信号出力手段の動作を停止させる旨が選択されると、前記第二の映像信号出力手段の動作が停止し、
前記ダイアログにおいて操作手段により前記第二の映像信号出力手段の動作を停止させない旨が選択されると、前記第二の映像信号出力手段の動作が停止しないような構成にしてもよい（第５の構成）。
【００１４】
このような構成によれば、番組再開の際、ユーザの選択によりユーザは番組を見ることもできるし、引き続きデータ放送を見ることもできる。
【００１５】
また、本発明のデジタル放送受信装置は、上記第１の構成において、前記第二の映像信号出力手段が映像信号を出力中、操作手段において操作がされるたびに前記第二の映像信号出力手段は、前記トランスポートストリームから分離された前記操作に応じたデータ放送データに基づく映像信号を前記表示手段に出力し、その出力中に番組再開を検出する番組再開検出手段と、
前記番組再開が検出されると、現在の時刻が前記操作手段において最後に操作がされた時刻から所定時間以上経過しているか否かを判定する判定手段と、を備え、
前記判定手段が前記現在の時刻が前記時刻から前記所定時間以上経過していると判定すると、前記第二の映像信号出力手段が動作を停止し、前記判定手段が前記現在の時刻が前記時刻から前記所定時間以上経過していないと判定すると、前記第二の映像信号出力手段が動作を停止しないような構成にしてもよい（第６の構成）。
【００１６】
このような構成によれば、番組再開時にユーザがデータ放送を見ているか否かを推定し、番組表示に切換えるか、データ放送を引き続き表示させるので、番組再開時の表示がユーザの所望するものとなる。
【００１７】
また、本発明のデジタル放送受信装置は、上記第４、第５、第６のいずれかの構成において、前記番組再開検出手段は、番組再開前のミュート部分を検出することにより番組再開を検出するような構成としてもよい（第７の構成）。
【００１８】
また、本発明のデジタル放送受信装置は、上記第６の構成において、前記所定時間は操作手段により設定変更可能であるような構成にしてもよい（第８の構成）。
【００１９】
このような構成によれば、番組再開時にユーザがデータ放送を見ているか否かの推定の精度を向上させ、番組再開時の表示がユーザの所望するものとなる確率を向上できる。
【発明の効果】
【００２０】
本発明のデジタル放送受信装置によれば、デジタル放送の番組が表示中にＣＭ放送に切換わるとき、ＣＭを必要な情報としないユーザでもＣＭ中の時間を有効に使用できる。
【発明を実施するための最良の形態】
【００２１】
以下、本発明の実施形態についてハードディスクレコーダを一例として図面を参照して説明する。
【００２２】
まず、本発明の第１実施形態に係るハードディスクレコーダについて説明する。
【００２３】
本発明の第１実施形態に係るハードディスクレコーダの概略構成図を図１に示す。本発明に係るハードディスクレコーダ１０は、デジタル放送受信対応となっており、チューナ部２と、信号処理部３と、制御部４と、ＨＤＤ（ハードディスクドライブ）５と、フラッシュメモリ６と、内部時計７と、リモコン受信部８と、備えている。チューナ部２にはアンテナ１が接続され、信号処理部３にはテレビ９が接続される。
【００２４】
アンテナ１は、デジタル放送の放送電波を受信し高周波信号をチューナ部２に出力する。チューナ部２は、アンテナ１から入力された高周波信号から所望の周波数の信号を選局し、選局された信号を中間周波数信号に周波数変換し、中間周波数信号をデジタル復調してトランスポートストリームを取り出し信号処理部３に出力する。
【００２５】
信号処理部３は、トランスポートストリームから映像データを分離し、分離された映像データをデコードし、デコードされた映像データをアナログ映像信号に変換し、アナログ映像信号をテレビ９に出力する。
【００２６】
また、信号処理部３は、トランスポートストリームからデータ放送データを分離し制御部４に出力し、制御部４がデータ放送データを取得する。また、取得されたデータ放送データに基づき信号処理部３はデータ放送画面データを生成し、生成されたデータ放送画面データおよび上記デコードされた映像データに基づき合成画面データを生成し、生成された合成画面データをアナログ映像信号に変換してテレビ９に出力する。
【００２７】
また、信号処理部３は、トランスポートストリームから音声データを分離し、分離された音声データをデコードし、デコードされた音声データをアナログ音声信号に変換し、アナログ音声信号をテレビ９に出力する。
【００２８】
また、信号処理部３は、ＯＳＤ（Ｏｎ  Ｓｃｒｅｅｎ  Ｄｉｓｐｌａｙ）データを生成しアナログ映像信号に変換してテレビ９に出力もする。
【００２９】
ＨＤＤ５は、ハードディスクが内蔵され、ハードディスクに映像音声データを記録したり、ハードディスクから映像音声データを再生したりする。フラッシュメモリ６は各種設定情報が記憶される。内部時計７は、時刻を計時する。また、リモコン受信部８は、不図示のリモコンから赤外線信号を受信し操作に対応するコード信号を制御部４に出力する。
【００３０】
テレビ９は、信号処理部３から入力されたアナログ映像信号に基づき映像を表示し、信号処理部３から入力されたアナログ音声信号に基づき音声を発する。
【００３１】
次に、本発明の第１実施形態に係るハードディスクレコーダにおけるデジタル放送表示動作について図２に示すフローチャートを用いて説明する。
【００３２】
ステップＳ２０で信号処理部３がトランスポートストリームから分離された映像データに基づくアナログ映像信号をテレビ９に出力しテレビ９の画面全体に番組が表示中に、ステップＳ２１で制御部４がＣＭ放送開始を検出すると、ステップＳ２２に進む。
【００３３】
ここでＣＭ放送開始の検出は、信号処理部３によりトランスポートストリームから分離された音声データに基づく上記アナログ音声信号に基づきＣＭ開始前のミュート部分を検出することにより行う。
【００３４】
そして、ステップＳ２２で、信号処理部３は、制御部４が取得したデータ放送データに基づくデータ放送画面データおよびトランスポートストリームから分離されデコードされた映像データに基づき合成画面データを生成し、生成された合成画面データをアナログ映像信号に変換してテレビ９に出力し、テレビ９にＣＭおよびデータ放送が表示される。ここでは、図５に示すように本編表示部５０１にＣＭが表示され、データ放送表示部５０２にデータ放送が表示される。
【００３５】
そして、ステップＳ２３で、制御部４が番組再開を検出すると、ステップＳ２４に進む。ここで、番組再開の検出も前述したように、信号処理部３によりトランスポートストリームから分離された音声データに基づく上記アナログ音声信号に基づき番組再開前のミュート部分を検出することにより行う。
【００３６】
そして、ステップＳ２４で、信号処理部３は、トランスポートストリームから分離された映像データに基づくアナログ映像信号をテレビ９に出力し、テレビ９の画面全体に番組が表示され、データ放送は表示されない。
【００３７】
このように本実施形態では、デジタル放送の番組表示中にＣＭ放送に切換わると、自動的にデータ放送が表示されるので、ＣＭを必要な情報としないユーザでもＣＭ中の時間を有効に使用できる。また、番組再開時に自動的に番組表示に切換わるのでユーザによる切換え操作が不要であり便利である。
【００３８】
また、このような機能のオンオフはユーザが設定可能となっている。不図示のリモコンにおいて設定画面表示操作がされると、信号処理部３が生成するＯＳＤデータにより、図６に示すような設定画面がテレビ９に表示される。ここで、リモコン操作により機能の有効が選択されると制御部４がフラッシュメモリ６に機能オンを示す設定情報を記憶させ、リモコン操作により機能の無効が選択されると制御部４がフラッシュメモリ６に機能オフを示す設定情報を記憶させる。そして、この設定情報が機能オンを示す場合に、前述した図２に示すフローチャートのような動作が行われる。また、この設定情報が機能オフを示す場合は、信号処理部３がトランスポートストリームから分離された映像データに基づくアナログ映像信号をテレビ９に出力することにより、テレビ９の画面全体に番組が表示中にＣＭの画面全体表示に切換えられ、データ放送は表示されない。
【００３９】
次に、本発明の第２実施形態に係るハードディスクレコーダについて説明する。本発明の第２実施形態に係るハードディスクレコーダの構成は前述した第１実施形態と同様である。ここでは、本発明の第２実施形態に係るハードディスクレコーダにおけるデジタル放送表示動作について図３に示すフローチャートを用いて説明する。
【００４０】
ステップＳ３０で信号処理部３がトランスポートストリームから分離された映像データに基づくアナログ映像信号をテレビ９に出力しテレビ９の画面全体に番組が表示中に、ステップＳ３１で制御部４がＣＭ放送開始を検出すると、ステップＳ３２に進む。ここでＣＭ放送開始の検出は、前述したようにＣＭ開始前のミュート部分を検出することにより行う。
【００４１】
そして、ステップＳ３２で、信号処理部３は、制御部４が取得したデータ放送データに基づくデータ放送画面データおよびトランスポートストリームから分離されデコードされた映像データに基づき合成画面データを生成し、生成された合成画面データをアナログ映像信号に変換してテレビ９に出力し、テレビ９にＣＭおよびデータ放送が表示される。ここでは、図５に示すように本編表示部５０１にＣＭが表示され、データ放送表示部５０２にデータ放送が表示される。
【００４２】
そして、ステップＳ３３で、制御部４が番組再開を検出すると、ステップＳ３４に進む。ここで、番組再開の検出は前述したように番組再開前のミュート部分を検出することにより行う。
【００４３】
そして、ステップＳ３４で、信号処理部３は、番組表示への切換えをするか否かユーザに選択させるダイアログ用のＯＳＤデータを生成し、生成されたＯＳＤデータ、トランスポートストリームから分離されデコードされた映像データおよびデータ放送画面データに基づき合成画面データを生成し、生成された合成画面データをアナログ映像信号に変換してテレビ９に出力し、テレビ９に番組、ダイアログおよびデータ放送が表示される。ここでは、図７のように本編表示部５０１に番組およびダイアログ７０１が表示され、データ放送表示部５０２にデータ放送が表示される。
【００４４】
ここで、不図示のリモコンにおける操作により、番組表示への切換えが選択されると（ステップＳ３５のＹ）、ステップＳ３６で、信号処理部３は、トランスポートストリームから分離された映像データに基づくアナログ映像信号をテレビ９に出力し、テレビ９の画面全体に番組が表示され、データ放送は表示されない。
【００４５】
また、不図示のリモコンにおける操作により、番組表示に切換えない旨が選択されると（ステップＳ３５のＮ）、ステップＳ３７で、信号処理部３は、トランスポートストリームから分離されデコードされた映像データおよびデータ放送画面データに基づき合成画面データを生成し、生成された合成画面データをアナログ映像信号に変換してテレビ９に出力し、テレビ９に番組およびデータ放送が表示される。このときは、図５のように本編表示部５０１に番組が表示され、データ放送表示部５０２にデータ放送が表示される。
【００４６】
このように本実施形態でも、デジタル放送の番組表示中にＣＭ放送に切換わると、自動的にデータ放送が表示されるので、ＣＭを必要な情報としないユーザでもＣＭ中の時間を有効に使用できる。また、本実施形態では、番組再開の際のユーザによる選択により、ユーザは番組を見ることもできるし、データ放送を引き続き見ることもでき、利便性が高まる。
【００４７】
次に、本発明の第３実施形態に係るハードディスクレコーダについて説明する。本発明の第３実施形態に係るハードディスクレコーダの構成は前述した第１実施形態と同様である。ここでは、本発明の第３実施形態に係るハードディスクレコーダにおけるデジタル放送表示動作について図４に示すフローチャートを用いて説明する。
【００４８】
ステップＳ４０で信号処理部３がトランスポートストリームから分離された映像データに基づくアナログ映像信号をテレビ９に出力しテレビ９の画面全体に番組が表示中に、ステップＳ４１で制御部４がＣＭ放送開始を検出すると、ステップＳ４２に進む。ここでＣＭ放送開始の検出は、前述したようにＣＭ開始前のミュート部分を検出することにより行う。
【００４９】
そして、ステップＳ４２で、信号処理部３は、制御部４が取得したデータ放送データに基づくデータ放送画面データおよびトランスポートストリームから分離されデコードされた映像データに基づき合成画面データを生成し、生成された合成画面データをアナログ映像信号に変換してテレビ９に出力し、テレビ９にＣＭおよびデータ放送が表示される。ここでは、図５に示すように本編表示部５０１にＣＭが表示され、データ放送表示部５０２にデータ放送が表示される。
【００５０】
そして、ステップＳ４３で、不図示のリモコンにおいて操作がされるたびに、制御部４は内部時計７から現在時刻を取得し、取得しているデータ放送データのうち操作に応じたデータ放送データを信号処理部３に出力し、信号処理部３がそのデータ放送データに基づきデータ放送画面データを生成し、生成されたデータ放送画面データおよびトランスポートストリームから分離されデコードされた映像データに基づき合成画面データを生成し、生成された合成画面データをアナログ映像信号に変換してテレビ９に出力し、テレビ９にはＣＭおよび新たなデータ放送の映像が表示される。このとき、図５のように本編表示部５０１にＣＭが表示され、データ放送表示部５０２に新たなデータ放送の映像が表示される。
【００５１】
そして、ステップＳ４４で、制御部４が番組再開を検出すると、ステップＳ４５に進む。ここで、番組再開の検出は前述したように番組再開前のミュート部分を検出することにより行う。
【００５２】
そして、ステップＳ４５で、制御部４は、内部時計７から取得される現在時刻が、上記ステップＳ４３で最後に取得された現在時刻の時刻から所定時間以上経過しているか否かを判定する。
【００５３】
ここで、上記所定時間はユーザが設定変更可能となっている。不図示のリモコンにおいて設定画面表示操作がされると、信号処理部３が生成するＯＳＤデータにより、テレビ９に図８に示すような設定画面が表示される。ここで、所定のリモコン操作がされるたびに秒数の候補が表示され、ある候補が表示された状態でリモコンにおいて決定操作がされると、決定時に表示された候補の秒数が所定時間設定情報として制御部４によりフラッシュメモリ６に記憶される。
【００５４】
そして、ステップＳ４５で、所定時間以上経過していると判定されると（ステップＳ４５のＹ）、ユーザがデータ放送を見ていないものとして、ステップＳ４６に進み、信号処理部３は、トランスポートストリームから分離された映像データに基づくアナログ映像信号をテレビ９に出力し、テレビ９の画面全体に番組が表示され、データ放送は表示されない。
【００５５】
また、ステップＳ４５で、所定時間以上経過していないと判定されると（ステップＳ４５のＮ）、ユーザがデータ放送を見ているものとして、ステップＳ４７に進み、信号処理部３は、トランスポートストリームから分離されデコードされた映像データおよびデータ放送画面データに基づき合成画面データを生成し、生成された合成画面データをアナログ映像信号に変換してテレビ９に出力し、テレビ９に番組およびデータ放送が表示される。このときは、図５のように本編表示部５０１に番組が表示され、データ放送表示部５０２にデータ放送が表示される。
【００５６】
このように本実施形態でも、デジタル放送の番組表示中にＣＭ放送に切換わると、自動的にデータ放送が表示されるので、ＣＭを必要な情報としないユーザでもＣＭ中の時間を有効に使用できる。また、本実施形態では、番組再開時がデータ放送表示後最後にリモコン操作されたときからどれだけ時間が経過しているかによりユーザがデータ放送を見ているか否かを推定して番組表示に切換えるか、引き続きデータ放送を表示させるので、番組再開時の表示がユーザの所望するものとなり利便性が高まる。また、上記経過時間との比較に使う所定時間がリモコン操作により設定変更可能であるので、ユーザがデータ放送を見ているか否かの推定の精度を向上することができ、番組再開時の表示がユーザの所望のものとなる確率を向上できる。
【００５７】
なお、以上で説明した実施形態はハードディスクレコーダであったが、本発明はこれに限らず、ＤＶＤレコーダ、デジタルテレビ、デジタルチューナ等の様々なデジタル放送受信装置に適用可能である。
【図面の簡単な説明】
【００５８】
【図１】は、本発明の各実施形態に係るハードディスクレコーダの概略構成図である。
【図２】は、本発明の第１実施形態に係るハードディスクレコーダにおけるデジタル放送表示動作に関するフローチャートである。
【図３】は、本発明の第２実施形態に係るハードディスクレコーダにおけるデジタル放送表示動作に関するフローチャートである。
【図４】は、本発明の第３実施形態に係るハードディスクレコーダにおけるデジタル放送表示動作に関するフローチャートである。
【図５】は、放送本編およびデータ放送の表示画面を示す図である。
【図６】は、ＣＭ時データ放送表示機能の設定画面を示す図である。
【図７】は、番組再開時に表示されるダイアログを示す図である。
【図８】は、番組再開時の番組表示切換え判断用の所定時間を設定するための画面を示す図である。
【符号の説明】
【００５９】
１    アンテナ
２    チューナ部
３    信号処理部
４    制御部
５    ＨＤＤ
６    フラッシュメモリ
７    内部時計
８    リモコン受信部
９    テレビ
１０    ハードディスクレコーダ
【図１】
2008288631.tif 000003
【図２】
2008288631.tif 000004
【図３】
2008288631.tif 000005
【図４】
2008288631.tif 000006
【図５】
2008288631.tif 000007
【図６】
2008288631.tif 000008
【図７】
2008288631.tif 000009
【図８】
2008288631.tif 000010